(57)【要約】【課題】前回と今回の計画内容に大幅に変更のあった計画値の画面上での確認を容易とすることが可能な機器輸入関連業務支援サーバを提供する。【解決手段】部門別ＰＣからの各種要求をネットワークを介して受信し、部門別ＰＣとの間でデータの送受信を行う通信手段１５０と、輸入計画自動策定要求が受信されると、販売計画ＤＢ１２１、販売実績ＤＢ１３１及び在庫実績ＤＢ１３３に記憶された各情報に基づいてシミュレーションを行い、輸入計画を自動策定する自動策定手段と、自動策定した輸入計画を記憶する輸入計画ＤＢ１２２と、輸入計画ＤＢ１２２に記憶された今回の輸入計画と前回の輸入計画とを比較し、前回に比べて大幅に増減のあった輸入数表示部分を他の表示部分と識別可能に示した輸入計画画面８００を生成し、部門別ＰＣに送信して表示させる表示画面作成手段とを有する。【選択図】図２
2007108896.tif 000002
【特許請求の範囲】
【請求項１】
ユーザ側端末からの各種要求をネットワークを介して受信し、前記ユーザ側端末との間でデータの送受信を行う通信手段と、
機器の販売計画が記憶される販売計画データベース（以下、「ＤＢ 」という  ）と、
機器の販売実績が記憶される販売実績ＤＢと、
機器の在庫実績が記憶される在庫実績ＤＢと、
前記通信手段により輸入計画自動策定要求が受信されると、前記販売計画ＤＢ、前記販売実績ＤＢ及び前記在庫実績ＤＢに記憶された各情報に基づいてシミュレーションを行い、輸入計画を自動策定する自動策定手段と、
自動策定した輸入計画を記憶する輸入計画ＤＢと、
該輸入計画ＤＢに記憶された今回の輸入計画と前回の輸入計画とを比較し、前回に比べて大幅に増減のあった輸入数表示部分を他の表示部分と識別可能に示した輸入計画画面を生成し、前記ユーザ側端末に送信して表示させる表示画面作成手段と
を有することを特徴とする機器輸入関連業務支援サーバ。
【請求項２】
生産計画を記憶する生産計画ＤＢと、輸出計画を記憶する輸入計画ＤＢとを備え、前記自動策定手段は、前記通信手段により生産計画自動策定要求又は輸出計画自動策定要求が受信されると、前記輸入計画で計画された輸入数の機器を海外の生産工場から輸入するのに必要なコンテナー数を算出し、前記輸入計画と前記コンテナー数とに基づいてシミュレーションを行い、前記受信した要求に応じて生産計画又は輸出計画を自動策定して前記生産計画ＤＢ又は前記輸入計画ＤＢに記憶させ、前記表示画面作成手段は、前記生産計画又は前記輸入計画のそれぞれにおいて、今回の計画と前回の計画とを比較し、前回に比べて大幅に増減のあった計画数表示部分を他の表示部分と識別可能に示した生産計画画面又は輸入計画画面を生成し、前記要求送信元のユーザ側端末に送信して表示させることを特徴とする請求項１記載の機器輸入関連業務支援サーバ。
【請求項３】
前記ユーザ側端末は、ユーザ本社、海外工場、輸入センター、物流センター窓口及び販売会社の各部門それぞれに部門別端末として備えられており、前記表示画面作成手段は、前記部門別端末から初期メニュー画面表示要求を受信すると、要求元の部門に応じてその部門で必要な項目に選択項目を限定したメニュー画面を作成し、前記メニュー画面のデータを送信して表示させることを特徴とする請求項１又は請求項２記載の機器輸入関連業務支援サーバ。
【請求項４】
前記メニュー画面に表示された項目に対応したＤＢの更新可・不可を更新要求元の部門に応じて制御するアクセス制御手段を備えたことを特徴とする請求項１乃至請求項３の何れかに記載の機器輸入関連業務支援サーバ。
【請求項５】
コンピュータを請求項１乃至請求項４の何れかに記載の機器輸入関連業務支援サーバの前記各手段として機能させるための機器輸入関連業務支援プログラム。
【発明の詳細な説明】
【技術分野】
【０００１】
本発明は、国内の機器需要に基づくユーザ本社からの注文に従い、海外に設置された生産工場へ注文を発行し、生産工場で生産された製品を輸入し、国内で販売する業務を支援する機器輸入関連業務支援システム及び機器輸入関連業務支援プログラムに関するものである。
【背景技術】
【０００２】
従来、この種の物流形態を実現するシステムにおいて、ユーザが製品を発注してから、生産および物流が行われ、納品が完了するまでの進捗状況を一元管理し、その一元管理された進捗情報に基づき適切な生産計画および物流計画を立案し、生産設備、労働力、輸送手段を効率的に運用することを可能とした生産物流管理システム技術がある（特許文献１参照）。
【０００３】
【特許文献１】特開２００２−１６９９９６号公報（第２６頁）
【発明の開示】
【発明が解決しようとする課題】
【０００４】
上記特許文献１の技術では、物流を効率的に行うための各種計画の立案が可能であるが、実際の運用上は、立案した計画対して微調整が必要になることが多い。微調整が必要な箇所は、具体的には例えば前回の立案計画と比べて大幅に変更があった部分が該当する。しかしながら、上記特許文献１の技術では、当該部分を分かりやすく表示することについて配慮されておらず、このため、前回と今回の計画画面を見比べて変更具合をチェックしなければならず、時間を要していた。
【０００５】
また、特許文献１の技術では、物流側、生産側の各部門の端末装置から、サーバシステムに接続する際に、各部門毎に参照・更新のアクセス制限を行っていない。このため、ある部門の端末装置からサーバシステムに接続した際に、その部門において不要な情報も表示されることがあり、操作性の低下を招く要因となっていた。また、部門に応じてデータ更新のアクセス制限を行う点について配慮されておらず、誤った更新が行われる可能性があるという問題もあった。
【０００６】
本発明は、このような問題点を解決するためになされたものであり、前回と今回の計画内容に大幅に変更のあった計画値の画面上での確認を容易とすることが可能な機器輸入関連業務支援サーバ及び機器輸入関連業務支援プログラムを提供することを第１の目的とする。
【０００７】
本発明は、第１の目的に加え、操作性及びセキュリティ性の向上を図った機器輸入関連業務支援サーバ及び機器輸入関連業務支援プログラムを提供することを第２の目的とする。
【課題を解決するための手段】
【０００８】
本発明に係る機器輸入関連業務支援サーバは、ユーザ側端末からの各種要求をネットワークを介して受信し、ユーザ側端末との間でデータの送受信を行う通信手段と、機器の販売計画が記憶される販売計画データベース（以下、「ＤＢ」という）と、機器の販売実績が記憶される販売実績ＤＢと、機器の在庫実績が記憶される在庫実績ＤＢと、通信手段により輸入計画自動策定要求が受信されると、販売計画ＤＢ、販売実績ＤＢ及び在庫実績ＤＢに記憶された各情報に基づいてシミュレーションを行い、輸入計画を自動策定する自動策定手段と、自動策定した輸入計画を記憶する輸入計画ＤＢと、輸入計画ＤＢに記憶された今回の輸入計画と前回の輸入計画とを比較し、前回に比べて大幅に増減のあった輸入数表示部分を他の表示部分と識別可能に示した輸入計画画面を生成し、ユーザ側端末に送信して表示させる表示画面作成手段とを有するものである。
【発明の効果】
【０００９】
本発明は、輸入計画を表示する際、前回に比べて計画値に大幅に増減のあった機器に関する表示部分を他の機器に関する表示部分と識別表示するようにしたので、画面を一瞥しただけで大幅に変更になった部分を容易に確認することができる。
【発明を実施するための最良の形態】
【００１０】
以下、本発明の実施の形態を図面に基づいて詳細に説明する。
【００１１】
図１は、本発明の一実施の形態の機器輸入関連業務支援システムの動作を示す概念図、図２は、図１の機器輸入関連業務支援システムの全体構成を示すブロック図である。
【００１２】
本例の機器輸入関連業務支援システムでは、国内にユーザ本社２００、海外に生産工場（海外工場）３００が設置されており、ユーザ本社２００からの注文（Ｐ／Ｏ）に従い、海外工場３００で機器を生産し、その機器を国内に輸入する際の業務支援を行うものである。国内には、更に物流センター窓口４００と、海外工場３００から輸出されてくる機器を受け入れる輸入センター５００、輸入した機器を販売する販売会社６００が設置されている。
【００１３】
まず、機器輸入関連業務の概要を説明すると、まず、ユーザ本社２００において、国内でどの程度、機器の需要があるか等の情報に基づいて輸入計画（年間の月別の輸入数）を策定する。そして、その輸入計画に基づいて海外工場３００に注文が出される。海外工場３００では、注文分を生産するための生産計画（年間の月別の生産数）を作成し、その生産計画に従って生産を行う。そして、生産した機器を何台のコンテナに積んで輸出するかといった輸出計画を作成し、輸出計画に従って輸出を行う。国内の輸入センター５００は、海外工場３００から輸出されてきた機器を輸入する。輸入した機器は、流通センタ及び市場を介して販売会社６００へ輸送され、販売会社６００から図示しない小売り業者へと配送される。
【００１４】
図１及び図２の説明に戻る。ユーザ本社２００には、後述の複数のＤＢを管理する機器輸入関連業務支援サーバとしてのメインサーバ１００が設けられている。また、ユーザ本社２００、海外工場３００、物流センター窓口４００、輸入センター５００、販売会社６００のそれぞれの部門には、例えばパソコンなどで構成された部門別端末としての部門別ＰＣが備えられている。図２では、各部門それぞれの部門別ＰＣを、その設置部門に応じてユーザ本社側ＰＣ２１０、海外工場側ＰＣ３１０、物流センター窓口側ＰＣ４１０、輸入センター側ＰＣ５１０、販売会社側ＰＣ６１０として図示している。これらの各部門別ＰＣと、ユーザ本社２００に設けられたメインサーバ１００とはネットワーク（例えばインターネットや専用回線やそれらが混在したネットワーク）を介して接続されており、各部門別ＰＣは、各種要求をネットワークを介してメインサーバ１００に送信し、その要求に応じて返信されてくる情報を表示する。
【００１５】
メインサーバ１００は、本システムで用いる各ＤＢ群を一元管理しており、上記各部門別ＰＣからの各種要求に応じて該当ＤＢ群の該当ＤＢをアクセスし、要求に応じた処理を行うもので、マスタ関連ＤＢ群１１０と、計画ＤＢ群１２０と、実績ＤＢ群１３０と、本発明に係る処理を行なうための制御プログラム（機器輸入管理制御支援プログラム）等を記憶する記憶手段１４０と、各部門別ＰＣと通信を行うための通信手段１５０と、制御プログラムに基づいてメインサーバ１００全体の制御を行う制御手段１６０とを備えている。本発明の自動策定手段、表示画面作成手段及びアクセス制御手段は、制御手段１６０が機器輸入関連業務支援プログラム１４１に基づいて動作することにより実現される。
【００１６】
マスタ関連ＤＢ群１１０は、形名マスタＤＢ１１１と、容量帯マスタＤＢ１１２とを備えている。本例では、機器は冷蔵庫であり、形名マスタＤＢ１１１には、冷蔵庫の形名毎に、その型の冷蔵庫の容量帯区分（冷蔵庫の容量の範囲を示すもので、例えば１７０リットル未満、１７０リットル以上３５０リットル未満などの範囲のこと）が記憶されている。また、容量帯マスタＤＢ１１２には、容量帯毎にその容量帯に属する形名とその容量帯の冷蔵庫の国内における需要情報とが記憶されている。
【００１７】
また、計画ＤＢ群１２０は、販売計画ＤＢ１２１と、輸入計画ＤＢ１２２と、生産計画ＤＢ１２３と輸出計画ＤＢ１２４とを備えている。実績ＤＢ群１３０は、販売実績ＤＢ１３１と、輸入実績ＤＢ１３２と、在庫実績ＤＢ１３３と、生産実績ＤＢ１３４と、輸出実績ＤＢ１３５と、Ｐ／Ｏ実績ＤＢ１３６と、コンテナー数実績ＤＢ１３７とを備えている。
【００１８】
記憶手段１４０には、機器輸入関連業務支援プログラム１４１と、セキュリティ管理テーブル１４２と、制御テーブル１４３とが格納されている。
【００１９】
機器輸入関連業務支援プログラム１４１は、輸入計画作成用、生産計画作成用、輸出計画作成用の各種シミュレーションプログラムや、コンテナー数算出プログラム、更には、各種画面の表示制御を行うための表示制御プログラム、各部門別ＰＣの各ＤＢ群へのアクセス制御を行うアクセス制御プログラム等の各種機能プログラムを含んだ構成となっており、メインサーバ１００システム全体の制御を行うためのプログラムである。
【００２０】
セキュリティ管理テーブル１４２には、各部門（ユーザ本社２００、輸入センター５００、物流センター窓口４００、販売会社６００、海外工場３００）別の部門別ＩＤと、パスワードとが登録されている。各部門からのアクセス時に各部門別ＰＣから送信されてくる部門別ＩＤ及びパスワードを、このセキュリティ管理テーブル１４２と照合することでアクセス元の部門別ＰＣがどの部門であるかを識別している。
【００２１】
図３は、制御テーブルの一例を示す図である。
制御テーブル１４３には、各部門毎且つ各メニュー項目毎にそのメニュー項目の表示をその部門で可とするか不可とするか（その部門で必要な項目を可とし、不要な項目を不可とする）を設定した表示制御情報と、表示制御情報において表示を可とされたメニュー項目毎に、そのメニュー項目に対応したＤＢに対する更新を可とするか不可とするかを設定した更新制御情報とが記憶されている。
【００２２】
このセキュリティ管理テーブル１４２と制御テーブル１４３とにより、メインサーバ１００は、各部門別ＰＣから初期メニュー画面表示要求があった場合、その要求送信元の部門別ＰＣがどの部門かを識別するとともに、その部門用の初期メニュー画面のデータを生成してアクセス送信元の部門別ＰＣ端末に送信して表示させるようにしている。
【００２３】
図４は、各部門別ＰＣ上に表示された初期メニュー画面の一例を示す図である。（ａ）はユーザ本社２００、（ｂ）は物流センター窓口４００、（ｃ）は海外工場３００、（ｄ）は輸入センター５００における初期メニュー画面７００を示している。初期メニュー画面７００には、自己の部門で必要なメニュー項目が表示されるとともに、その必要なメニュー項目のうち、特に自己の部門で主として処理する項目（更新可の項目）が、自己の部門名の下に縦方向に表示される。
【００２４】
具体的に説明すると、（ａ）に示すユーザ本社２００の初期メニュー画面７００ａでは、「０５  掲示板」、「１０  実績更新」、「１５  マスターメンテナンス」、「２０  年度計画」、「２５  販売計画」、「３０  輸入計画」、「３５  掲示板」、「５０  年度計画」、「５５  生産計画」、「６０  輸出計画」、「６５  コンテナー調達」、「７０  倉入計上」がユーザ本社２００で必要なメニュー項目として表示されている。そして、表示可の各項目のうち、「０５  掲示板」、「１０  実績更新」、「１５  マスターメンテナンス」、「２０  年度計画」、「２５  販売計画」、「３０  輸入計画」、「３５  掲示板」がユーザ本社２００で主として処理する項目として表示され、その他の海外工場部門の「３５  掲示板」、「５０  年度計画」、「５５  生産計画」、「６０  輸出計画」と、物流センター窓口４００の「６５  コンテナー調達」と、輸入センター５００の「７０  倉入計上」とが、ユーザ本社２００から参照可能な項目として表示されている。
【００２５】
図５は、本発明の一実施の形態の機器輸入関連業務支援システムの動作を示すフローチャートである。なお、以下における各部門別ＰＣの操作の際には既に部門別ＩＤ及びパスワードが入力され、セキュリティ管理テーブル１４２の該当ＩＤのパスワードとの照合を行い、正規ユーザであること及びどの部門であるかが識別され、その部門用の初期メニュー画面７００が表示されているものとする。
【００２６】
＜ユーザ本社２００＞
まず、ユーザ本社２００は輸入計画を策定する（Ｓ１００）。なお、実際の輸入計画自動策定処理はメインサーバ１００で行うもので、ユーザ本社２００は、メインサーバ１００に対して輸入計画自動策定を要求する。すなわち、ユーザ本社２００側のユーザは、ユーザ本社側ＰＣ２１０に表示された図４（ａ）に示す初期メニュー画面７００ａから「３０  輸入計画」を選択し、続いて表示される画面から自動策定ボタン（図示せず）を押下する。これによりユーザ本社側ＰＣ２１０からメインサーバ１００にネットワークを介して輸入計画自動策定要求が送信される。メインサーバ１００の制御手段１６０は、輸入計画自動策定要求を受信すると、輸入計画作成用プログラムに基づいて輸入計画自動策定処理を行う。輸入計画自動策定処理では、まず、形名マスタＤＢ１１１、容量帯マスタＤＢ１１２、販売計画ＤＢ１２１、販売実績ＤＢ１３１及び在庫実績ＤＢ１３３にアクセスして、それぞれから情報を取得する。そして、取得した情報に基づいてシミュレーションを行い、輸入計画を自動策定する。そして、輸入計画に基づく輸入計画画面のデータを生成する。
【００２７】
ここで、メインサーバ１００の輸入計画ＤＢ１２２には前回の輸入計画が記憶されており、制御手段１６０は、輸入計画画面のデータを生成するに際し、前回と今回の輸入計画を比較し、予め設定された所定値を超えて増減のあった輸入数表示部分を、他の表示部分と識別して表示されるように輸入計画画面のデータを生成する。メインサーバ１００は、このようにして作成した輸入計画画面のデータをユーザ本社側ＰＣ２１０に返信して図６に示すような輸入計画画面８００を表示させる。
【００２８】
図６は、輸入計画画面の一例を示す図で、この例では、機器の複数の型（ＭＯＤＥＬ）それぞれについて輸入計画（年間の月別の輸入数）が一覧表示された画面を示している。この輸入計画画面８００では、ＭＯＤＥＬが「ＤＤＤＤＤ」でＳＨＩＰ（輸送船）が「ＺＺＺＺＺ」の冷蔵庫の７月（ＪＵＬ）の計画値表示部分にハッチングが施されて識別表示され、当該７月に大幅な変化（差分（ＤＥＦ）が−２００）があったことを示している。かかる構成の画面により、ユーザは、その表示を一瞥することで輸入数に大幅に増減のあった形名や月等を確認することができる。そして、必要に応じて調整ボタン８０１を押下して調整を行い、調整完了後、承認ボタン８０２を押下する。承認ボタン８０２の押下によりユーザ本社側ＰＣ２１０からメインサーバ１００に承認情報が送信され、メインサーバ１００はその承認情報を受信すると、Ｐ／Ｏ（Purchase Order））を自動的に作成しＰ／Ｏ実績ＤＢ１３６に登録する。なお、調整が行われた場合には承認情報と調整内容情報とがメインサーバ１００に送信され、メインサーバ１００は調整内容情報に基づいて輸入計画ＤＢ１２２を更新する。
【００２９】
このようにしてユーザ本社２００で輸入計画が立案されると、機器の生産に際し輸入計画の確認が必要な海外工場３００では、海外工場側ＰＣ３１０を使用して輸入計画に問題がないかを確認する。すなわち、海外工場側ＰＣ３１０では、初期メニュー画面７００ｃにおいて「３０  輸入計画」が表示されており、「３０  輸入計画」を選択することにより図６と同様の輸入計画画面８００のデータをメインサーバ１００から取得して表示し、輸入計画に問題がないかを確認する。なお、海外工場３００では、輸入業務の進捗状況を適宜「３５  掲示板」の選択により表示される掲示板等に基づき確認しており、ユーザ本社２００にて輸入計画が立案されたことについて、当該掲示板により知ることができるようになっている。
【００３０】
＜物流センター窓口４００＞
以上のようにして輸入計画が確定すると、続いて物流センター窓口４００にて、輸入計画で計画された数量を海外工場３００から輸入するのに必要なコンテナー数を算出する（Ｓ１１０）。なお、実際の算出処理はメインサーバ１００で行うもので、物流センター窓口４００では、物流センター窓口側ＰＣ４１０を使用してメインサーバ１００に算出要求を送信する。すなわち、物流センター窓口４００のユーザは、物流センター窓口側ＰＣ４１０に表示された初期メニュー画面７００ｂから「６５  コンテナー調達」を選択し、続いて表示される画面上で自動策定ボタン（図示せず）を押下する。これにより、物流センター窓口側ＰＣ４１０からメインサーバ１００にコンテナー数算出要求が送信される。
【００３１】
メインサーバ１００の制御手段１６０は、コンテナー数算出要求を受信すると、コンテナー数算出用プログラムに基づいてコンテナー数算出処理を行う。コンテナー数算出処理では、まず、形名マスタＤＢ１１１及び輸入計画ＤＢ１２２にアクセスしてそれぞれから情報を取得する。そして、取得した情報に基づいてシミュレーションを行い、輸入計画で計画された数量の機器を海外工場３００から輸入するのに必要なコンテナー数を算出する。そして、算出したコンテナー数を物流センター窓口側ＰＣ４１０に表示させるためのコンテナー数提示画面（図示せず）を生成し、物流センター窓口側ＰＣ４１０にネットワークを介して送信して表示させる。一方、物流センター窓口４００のユーザは、その算出結果を元にコンテナーの調達業務を行う。
【００３２】
このようにして物流センター窓口４００でコンテナー数が算出されると、コンテナー数の確認が必要なユーザ本社２００では、ユーザ本社側ＰＣ２１０を使用してコンテナー数に問題がないかを確認する。すなわち、ユーザ本社側ＰＣ２１０では、初期メニュー画面において「６５  コンテナー調達」が表示されており、「６５  コンテナー調達」を選択することによりコンテナー数の画面を取得して表示し、調達数に問題がないかを確認する。なお、ユーザ本社２００では、輸入業務の進捗状況を適宜「０５  掲示板」の選択によって表示される掲示板等に基づき確認しており、物流センター窓口４００にてコンテナー数が算出されたことについて、当該掲示板により知ることができるようになっている。
【００３３】
＜海外工場３００＞
以上のようにしてコンテナー調達数が算出されると、続いて、海外工場３００にて生産計画を策定する（Ｓ１２０）。なお、実際の生産計画自動策定処理はメインサーバ１００で行うもので、海外工場３００では、ユーザが海外工場側ＰＣ３１０を使用してメインサーバ１００に生産計画自動策定要求を要求する。この要求は、海外工場側ＰＣ３１０に表示された初期メニュー画面７００ｃから「５５  生産計画」を選択し、続いて表示される画面から自動策定ボタン（図示せず）を押下することにより行う。メインサーバ１００の制御手段１６０は、生産計画自動策定要求を受信すると、生産計画作成用プログラムに基づいて生産計画自動策定処理を行う。生産計画自動策定処理では、まず、形名マスタＤＢ１１１及び輸入計画ＤＢ１２２をアクセスしてそれぞれから情報を取得する。そして、取得した情報に基づいてシミュレーションを行い、生産計画を自動策定する。そして、生産計画に基づく生産計画画面のデータを生成する。
【００３４】
ここで、メインサーバ１００の生産計画ＤＢ１２３には前回の生産計画が記憶されており、制御手段１６０は、生産計画画面のデータを生成するに際し、前回と今回の生産計画を比較し、予め設定された所定値を超えて増減のあった生産数表示部分を、他の表示部分と識別して表示されるように生産計画画面のデータを作成する。メインサーバ１００は、このようにして作成した生産計画画面のデータをユーザ本社側ＰＣ２１０に返信して図６に類似する生産計画画面（図示せず）を表示させる。
【００３５】
このように生産計画画面において識別表示するようにしたので、ユーザは、その表示を確認することにより、生産数に大幅に増減のあった形名や月等を直ちに確認することができる。そして、調整が必要であれば調整を行い、調整完了後、承認の旨の操作を行うと、海外工場側ＰＣ３１０からメインサーバ１００に承認情報が送信される。メインサーバ１００はその承認情報を受信すると、現在海外工場側ＰＣ３１０で表示されている生産計画を生産計画ＤＢ１２３に登録する。
【００３６】
このようにして海外工場３００で生産計画が立案されると、生産計画の確認が必要なユーザ本社２００では、ユーザ本社側ＰＣ２１０を使用して生産計画に問題がないかを確認する。すなわち、ユーザ本社２００のユーザは、海外工場３００で生産計画が策定されたことを初期メニュー画面７００ａの「０５  掲示板」の操作により確認すると、続いて「５０  生産計画」の項目を選択してメインサーバ１００から生産計画画面のデータを取得して表示し、生産計画に問題がないかを確認する。
【００３７】
このようにして生産計画が確定すると、海外工場３００では、生産計画に基づいて部品調達、生産を行う。生産が終了すると、海外工場３００側のユーザは、海外工場側ＰＣ３１０を操作して生産実績を入力する。この生産実績の入力は、初期メニュー画面７００から「４０  実績更新」を選択し、続いて表示される画面で生産実績入力ボタン（図示せず）を押下することによりメインサーバ１００から送信されてくる生産実績入力画面において行う。
【００３８】
図７は、生産実績入力画面の一例を示す図である。生産実績入力画面９００は、各機器形名毎に生産実績入力枠９０１が表示された画面となっている。海外工場３００側のユーザは、生産実績入力画面９００上の各入力枠９０１に生産実績を入力して更新ボタン９０２を押下する。すると、生産実績入力画面９００上に入力された実績内容が海外工場側ＰＣ３１０からメインサーバ１００へと送信され、メインサーバ１００は、海外工場側ＰＣ３１０からの実績内容を受信すると、その受信した実績内容に基づいて生産実績ＤＢ１３４を更新する。
【００３９】
また、海外工場３００では、生産した機器を何台のコンテナに積んで輸出するかといった輸出計画（月別のコンテナ数）を策定する（Ｓ１３０）。なお、上記と同様、実際の輸出計画自動策定処理はメインサーバ１００で行うもので、海外工場３００からメインサーバ１００に対して輸出計画自動策定を要求する。すなわち、海外工場側ＰＣ３１０に表示された初期メニュー画面７００ｃから「６０  輸出計画」を選択し、続いて表示される画面から自動策定ボタン（図示せず）を押下することによりメインサーバ１００に輸出計画自動策定を要求する。メインサーバ１００の制御手段１６０は、輸出計画自動策定要求を受信すると、輸出計画作成用プログラムに基づいて輸出計画自動策定処理を行う。輸出計画自動策定処理では、まず、形名マスタＤＢ１１１、コンテナー数実績ＤＢ１３７及び生産計画ＤＢ１２３をアクセスしてそれぞれから情報を取得する。そして、取得した情報に基づいてシミュレーションを行い、輸出計画を自動策定する。そして、輸出計画に基づく輸出計画画面のデータを生成する。
【００４０】
ここで、メインサーバ１００の輸出計画ＤＢ１２４には前回の輸出計画が記憶されており、制御手段１６０は、輸出計画画面のデータを生成するに際し、前回と今回の輸出計画を比較し、予め設定された所定値を超えて増減のあった輸出数表示部分を、他の表示部分と識別して表示されるように輸出計画画面のデータを生成している。メインサーバ１００は、このようにして作成した輸出計画のデータを海外工場側ＰＣ３１０に返信して図６に示した輸入計画画面８００とほぼ同様の輸出計画画面を表示させる。ユーザ本社２００のユーザは、その表示を確認することにより、輸出数に大幅に増減のあった形名と月等をを知ることができる。そして、調整が必要であれば調整を行い、調整完了後、承認の旨の操作を行うと、海外工場側ＰＣ３１０からメインサーバ１００に承認情報が送信される。メインサーバ１００はその承認情報を受信すると、現在海外工場側ＰＣ３１０で表示されている輸出計画を輸出計画ＤＢ１２４に登録する。そして、港の作業員は、製品を港まで輸送し、輸出を行う。
【００４１】
このようにして海外工場３００で輸出計画が立案されると、その輸出計画の確認が必要なユーザ本社２００では、ユーザ本社側ＰＣ２１０を使用して輸出計画に問題ないかを確認する。すなわち、ユーザ本社２００のユーザは、「０５  掲示板」の操作により海外工場３００で輸出計画が策定されたことを確認すると、続いて「６０  輸出計画」を選択してメインサーバ１００から輸出計画画面のデータを取得して表示し、輸出計画に問題がないかを確認する。
【００４２】
一方、海外工場３００側の作業者は、輸出が終了すると、海外工場側ＰＣ３１０を操作して輸出実績を入力する。すなわち、初期メニュー画面７００ｃから「４０  実績更新」を選択した後、上記と同様の続いて表示される画面から輸出実績入力ボタン（図示せず）を押下する。これにより海外工場側ＰＣ３１０からメインサーバ１００にネットワークを介して輸出実績入力要求が送信される。メインサーバ１００の制御手段１６０は、輸出実績入力要求を受信すると、記憶手段１４０から輸出実績入力画面情報を読み出して海外工場側ＰＣ３１０に返信し、先の図７に類似した輸出実績入力画面を表示させる。そして、輸出実績入力画面上で輸出実績が入力されて更新ボタンが押下されると、輸出実績入力画面上に入力された実績内容が海外工場側ＰＣ３１０からメインサーバ１００へと送信され、メインサーバ１００は、実績内容を受信すると、その受信した実績内容に基づいて輸出実績ＤＢ１３５を更新する。
【００４３】
＜輸入センター５００＞
輸入センター５００では、輸入状況を確認し、輸入実績を入力する（Ｓ１４０）。すなわち、輸入センター５００のユーザは、輸入センター側ＰＣ５１０の初期メニュー画面７００ｄ（図４（ｄ）参照）の「７０  倉入計上」を選択する。これにより、輸入センター側ＰＣ５１０からメインサーバ１００に対して倉入計上要求が送信される。メインサーバ１００の制御手段１６０は、倉入計上要求を受信すると、次の図８に示すような倉入計上チェック画面９１０のデータを生成し、輸入センター側ＰＣ５１０に送信して表示させる。
【００４４】
図８は、倉入計上チェック画面の一例を示す図である。倉入計上チェック画面９１０は、各機器形名毎に、輸入実績数入力枠９１１と、チェックボックス９１２とが表示された画面となっている。ここで、輸入実績数入力枠９１１には、先の輸出実績入力画面で入力された実績内容が既に入力された状態となっている。輸入センター５００のユーザは、実際の輸入数と輸出実績とが一致していれば、チェックボックス９１２をチェックし、更新ボタン９１３を押下する。これにより輸入センター側ＰＣ５１０からメインサーバ１００に現在輸入センター側ＰＣ５１０で表示されている内容を含む承認情報が承認され、メインサーバ１００の制御手段１６０は、承認情報を受信すると、承認情報に含まれる内容を輸入実績ＤＢ１３２に輸入実績として書き込む。また、ユーザ本社２００でも、ユーザ本社側ＰＣ２１０を操作して輸入実績画面を参照し、実績登録に問題がないかを確認する。更に、ユーザ本社２００では、Ｐ／Ｏに対しての輸入実績の進捗を参照し、納品書作成を行う（Ｓ１５０）。
【００４５】
なお、販売会社６００でも販売会社側ＰＣ６１０を操作して、輸入実績を参照し、市場への納期回答などを行う。
【００４６】
このように本実施の形態によれば、輸入計画、生産計画及び輸出計画を表示するに際し、前回に比べて計画値に大幅に増減のあった機器に関する表示部分を他の機器に関する表示部分と識別表示するようにしたので、画面を一瞥しただけで大幅に変更になった部分を容易に確認することができる。
【００４７】
また、各部門毎に、それぞれその部門で必要な項目のみをメニュー表示し、不要な項目はメニュー上に表示しないようにしたため、画面が簡潔になって操作性が向上し、ユーザによる誤った操作を防止することができる。また、各部門毎且つ各項目毎にその項目に関する表示画面の更新可・更新不可を設定して、更新権限のない部門からの更新処理を受け付けないようにしたので、ユーザによる誤った更新操作を防止することができる。
【図面の簡単な説明】
【００４８】
【図１】本発明の一実施の形態の機器輸入関連業務支援システムの動作を示す概念図である。
【図２】図１の機器輸入関連業務支援システムの全体構成を示すブロック図である。
【図３】制御テーブルの一例を示す図である。
【図４】各部門別ＰＣ上に表示された初期メニュー画面の一例を示す図である。
【図５】本発明の一実施の形態の機器輸入関連業務支援システムの動作を示すフローチャートである。
【図６】輸入計画画面の一例を示す図である。
【図７】生産実績入力画面の一例を示す図である。
【図８】倉入計上チェック画面の一例を示す図である。
【符号の説明】
【００４９】
１００  メインサーバ、１２１  販売計画ＤＢ、１２２  輸入計画ＤＢ、１２３  生産計画ＤＢ、１２４  輸出計画ＤＢ、１３１  販売実績ＤＢ、１３２  輸入実績ＤＢ、１３３  在庫実績ＤＢ、１３４  生産実績ＤＢ、１３５  輸出実績ＤＢ、１４１  機器輸入関連業務支援プログラム、１５０  通信手段、１６０  制御手段、２００  ユーザ本社、２１０  ユーザ本社側ＰＣ、３００  海外工場、３１０  海外工場側ＰＣ、４００  物流センター窓口、４１０  物流センター窓口側ＰＣ、５００  輸入センター、５１０  輸入センター側ＰＣ、６００  販売会社、６１０  販売会社側ＰＣ、８００  輸入計画画面。
【図１】
2007108896.tif 000003
【図２】
2007108896.tif 000004
【図３】
2007108896.tif 000005
【図４】
2007108896.tif 000006
【図５】
2007108896.tif 000007
【図６】
2007108896.tif 000008
【図７】
2007108896.tif 000009
【図８】
2007108896.tif 000010